(57)【要約】  【課題】無線区間を含む基地局の呼接続試験を行う。  【解決手段】無線基地局は、複数のアンテナと、複数のアンテナのそれぞれと接続された複数のセクタと、呼接続試験を行う試験部と、を有し、複数のセクタのそれぞれは、アンテナを介して無線端末に無線信号を送信する無線送信部と、アンテナを介して無線端末から無線信号を受信する無線受信部と、ダウンリンクのとき前記アンテナと前記無線送信部とを接続し、アップリンクのとき前記アンテナと前記無線受信部とを接続するスイッチと、を有し、試験部は、呼接続試験のとき複数のセクタの少なくとも１つにおいて、ダウンリンクにおけるスイッチの接続を逆にし、アップリンクにおけるスイッチの接続を逆にする。【選択図】図４
2017212599.tif 000002
【特許請求の範囲】
【請求項１】
複数のアンテナと、
前記複数のアンテナのそれぞれと接続された複数のセクタと、
呼接続試験を行う試験部と、を有し、
前記複数のセクタのそれぞれは、
前記アンテナを介して無線端末に無線信号を送信する無線送信部と、
前記アンテナを介して無線端末から無線信号を受信する無線受信部と、
ダウンリンクのとき前記アンテナと前記無線送信部とを接続し、アップリンクのとき前記アンテナと前記無線受信部とを接続するスイッチと、を有し、
前記試験部は、
呼接続試験のとき前記複数のセクタの少なくとも１つにおいて、前記ダウンリンクにおける前記スイッチの接続を前記アップリンクにおける接続にし、前記アップリンクにおける前記スイッチの接続を前記ダウンリンクにおける接続にする、
ことを特徴とする無線基地局。
【請求項２】
請求項１に記載の無線基地局であって、
前記試験部は、
前記ダウンリンクのとき、前記スイッチの接続を前記ダウンリンクの接続にしている前記セクタから前記アンテナを介して送信される無線信号を、前記スイッチの接続を前記アップリンクの接続にした前記セクタから受信し、
前記アップリンクのとき、前記スイッチの接続を前記ダウンリンクの接続にしている前記セクタから前記アンテナを介して無線信号を送信し、前記スイッチの接続を前記アップリンクの接続にした前記セクタで受信する、
ことを特徴とする無線基地局。
【請求項３】
請求項１に記載の無線基地局であって、
前記試験部は、呼接続試験のとき前記複数のセクタの１つずつにおいて、前記ダウンリンクにおける前記スイッチの接続を前記アップリンクの接続にし、前記アップリンクにおける前記スイッチの接続を前記ダウンリンクにおける接続にする、
ことを特徴とする無線基地局。
【請求項４】
請求項１に記載の無線基地局であって、
前記試験部は、ネットワークを介して、保守端末から呼接続試験の開始指示を受信する、
ことを特徴とする無線基地局。
【請求項５】
複数のアンテナと、
前記複数のアンテナのそれぞれと接続された複数のセクタと、
呼接続試験を行う試験部と、を有し、
前記複数のセクタのそれぞれは、
前記アンテナを介して無線端末に無線信号を送信する無線送信部と、
前記アンテナを介して無線端末から無線信号を受信する無線受信部と、
ダウンリンクのとき前記アンテナと前記無線送信部とを接続し、アップリンクのとき前記アンテナと前記無線受信部とを接続するスイッチと、を有する無線基地局の呼接続試験方法であって、
前記試験部によって、呼接続試験のとき前記複数のセクタの少なくとも１つにおいて、前記ダウンリンクにおける前記スイッチの接続を前記アップリンクの接続にし、前記アップリンクにおける前記スイッチの接続を前記ダウンリンクの接続にする、
ことを特徴とする呼接続試験方法。
【発明の詳細な説明】
【技術分野】
【０００１】
本発明は、無線基地局および呼接続試験方法に関するものである。
【背景技術】
【０００２】
特許文献１には、オペレーションセンタから遠隔操作により、移動体通信システムにおける無線基地局装置の無線特性試験を可能とする基地局および基地局の試験方法が開示されている。
【先行技術文献】
【特許文献】
【０００３】
【特許文献１】特開２００９−１０５９３５号公報
【発明の概要】
【発明が解決しようとする課題】
【０００４】
ところで、無線基地局と無線端末との間の無線区間の通信状況は、例えば、無線基地局の周囲に設置される他の無線基地局等によって影響を受けることがある。そのため、無線区間を含む無線基地局の呼接続試験を行うことが重要である。
【０００５】
なお、特許文献１には、無線区間を含む呼接続試験を行うことは記載されていない。
【０００６】
そこで本発明は、無線区間を含む無線基地局の呼接続試験を行う技術を提供することを目的とする。
【課題を解決するための手段】
【０００７】
本願は、上記課題の少なくとも一部を解決する手段を複数含んでいるが、その例を挙げるならば、以下の通りである。上記課題を解決すべく、本発明に係る無線基地局は、複数のアンテナと、前記複数のアンテナのそれぞれと接続された複数のセクタと、呼接続試験を行う試験部と、を有し、前記複数のセクタのそれぞれは、前記アンテナを介して無線端末に無線信号を送信する無線送信部と、前記アンテナを介して無線端末から無線信号を受信する無線受信部と、ダウンリンクのとき前記アンテナと前記無線送信部とを接続し、アップリンクのとき前記アンテナと前記無線受信部とを接続するスイッチと、を有し、前記試験部は、呼接続試験のとき前記複数のセクタの少なくとも１つにおいて、前記ダウンリンクにおける前記スイッチの接続を前記アップリンクにおける接続にし、前記アップリンクにおける前記スイッチの接続を前記ダウンリンクにおける接続にする、ことを特徴とする。
【発明の効果】
【０００８】
本発明によれば、無線区間を含む無線基地局の呼接続試験を行うことができる。上記した以外の課題、構成、および効果は、以下の実施形態の説明により明らかにされる。
【図面の簡単な説明】
【０００９】
【図１】本発明に係る無線基地局を用いた通信システムの例が示してある。
【図２】無線通信システムの通信経路の一例を示した図である。
【図３】無線通信システムの呼接続試験のシーケンス例を示した図である。
【図４】無線基地局の機能ブロック構成例を示した図である。
【図５】ＴＤ方式の無線フレームの例を示した図である。
【図６】ＴＤ方式のダウンリンクにおける無線基地局の動作を説明する図である。
【図７】呼接続試験のダウンリンクにおける無線基地局の動作を説明する図である。
【図８】ＴＤ方式のアップリンクにおける無線基地局の動作を説明する図である。
【図９】呼接続試験のアップリンクにおける無線基地局の動作を説明する図である。
【図１０】呼接続試験時のＲＦスイッチ制御部の動作例を示したフローチャートである。
【発明を実施するための形態】
【００１０】
以下、本発明の実施の形態を、図面を参照して説明する。
【００１１】
図１は、本発明に係る無線基地局を用いた通信システムの例が示してある。図１に示すように、無線通信システムは、無線端末１と、無線基地局２と、バックホール回線ネットワーク３と、ＩＰ（Internet  Protocol）スイッチ４と、保守ネットワーク５と、保守端末６と、コアネットワーク７と、パケットデータネットワーク８と、ＩＳＰ（Internet Service Provider）サーバ９とを有している。
【００１２】
無線端末１は、例えば、スマートホンや携帯電話、タブレット端末等の無線端末である。無線端末１と無線基地局２は、例えば、ＴＤ−ＬＴＥ（Time Division-Long Term Evolution）によって、無線通信を行う。図１では、無線端末１は、１台しか示していないが、複数存在していてもよい。
【００１３】
無線基地局２は、複数のアンテナＡ１〜Ａ４を備え、ＭＩＭＯ（Multi Input Multi Output）通信やダイバーシチ通信を行う。図１では、無線基地局２は、ＭＩＭＯ通信において多く用いられる４アンテナ構成としているが、２以上のアンテナを備えていればよい。
【００１４】
無線基地局２は、バックホール回線ネットワーク３、ＩＰスイッチ４、およびコアネットワーク７を介して、パケットデータネットワーク８に接続されている。これにより、無線端末１は、パケットデータネットワーク８に接続されているＩＳＰサーバ９と通信を行うことができる。
【００１５】
バックホール回線ネットワーク３は、無線基地局２とコアネットワーク７とを結ぶネットワークである。
【００１６】
ＩＰスイッチ４は、パケットのスイッチングを行う。例えば、ＩＰスイッチ４は、保守端末６のデータ（パケット）を、無線基地局２に届けるようにスイッチングし、また、無線基地局２からのデータを、保守端末６に届けるようにスイッチングする。
【００１７】
保守端末６は、保守ネットワーク５を介して、ＩＰスイッチ４に接続されている。保守端末６は、例えば、ＰＣ（Personal Computer）やタブレット端末等の端末装置である。保守端末６は、無線基地局２の監視・制御を行う。保守端末６は、保守ネットワーク５、ＩＰスイッチ４、およびバックホール回線ネットワーク３を介して、無線基地局２と通信を行うことができる。
【００１８】
コアネットワーク７は、無線基地局２とパケットデータネットワーク８との間で、呼の確立やユーザパケットの送受信などを行う。
【００１９】
ＩＳＰサーバ９は、パケット通信サービスを提供するサーバであり、例えば、ＷｅｂサーバやＦＴＰ（File Transfer Protocol）サーバなどである。
【００２０】
無線基地局２は、遠隔にある保守端末６からの指示に応じて、呼接続試験を行う。その際、無線基地局２は、無線端末１と無線通信を行いながら、呼接続試験を行う。すなわち、無線基地局２は、無線端末１との無線通信を中断することなく、呼接続試験を行う。なお、無線基地局２は、無線端末１との通信量が少ないときに、呼接続試験を行うのが望ましい。例えば、無線基地局２は、夜間に呼接続試験を行う。
【００２１】
ここで、無線基地局２の電波状況は、例えば、無線基地局２の周りに設置される無線基地局の電波によって影響を受けることがある。無線基地局２の電波状況が悪いと、無線端末１は、無線基地局２を介した呼処理ができない場合がある。そのため、無線区間を含めた呼接続試験が重要である。
【００２２】
無線基地局２は、図１に示すように、端末機能部２ａを有している。端末機能部２ａは、無線端末１と同様の呼接続を行う。すなわち、無線基地局２は、無線端末１と同様の呼接続によって、呼接続試験を行う。
【００２３】
端末機能部２ａは、アンテナＡ１〜Ａ４を介した呼接続試験を行う。例えば、端末機能部２ａは、アンテナＡ１を介して、ＩＳＰサーバ９に対し、発呼する。アンテナＡ１を介した発呼（発呼の信号）は、例えば、アンテナＡ２〜Ａ３で受信され、ＩＳＰサーバ９へと送られる。そして、ＩＳＰサーバ９の発呼に対する応答は、アンテナＡ２〜Ａ３を介して、アンテナＡ１で受信され、端末機能部２ａへ返される。このようにして、無線基地局２は、アンテナＡ１〜Ａ４を介した無線区間の発呼試験を行う。
【００２４】
図２は、無線通信システムの通信経路の一例を示した図である。図２において、図１と同じものには同じ符号が付してある。
【００２５】
図２に示す点線は、無線基地局２の端末機能部２ａがＩＳＰサーバ９へアクセスする経路を示している。すなわち、図２に示す点線は、端末機能部２ａが呼接続試験を行うときの経路を示している。図２に示す一点鎖線は、無線端末１がＩＳＰサーバ９へアクセスする経路を示している。
【００２６】
無線基地局２が有する４本のアンテナＡ１〜Ａ４のうち、１本のアンテナＡ４は、無線基地局２が有する端末機能部２ａが呼接続試験の信号を送受信するのに用いられる。従って、無線基地局２の端末機能部２ａが呼接続試験を行うとき、無線基地局２は、図２に示すように、無線端末１と３本のアンテナＡ１〜Ａ３で信号を送受する。
【００２７】
図２に示すように、無線基地局２内に設けた端末機能部２ａによる呼接続試験は、通常の無線端末１の呼接続経路と同じである。従って、保守者は、無線基地局２のサイトへ行くことなく、無線端末を使った呼接続試験と同様の呼接続試験が遠隔から行うことができる。例えば、保守者は、直ちに呼接続試験を行わなければならない状況や夜間等であっても、無線基地局２のサイトへ行くことなく、呼接続試験を行うことができる。
【００２８】
図３は、無線通信システムの呼接続試験のシーケンス例を示した図である。図３には、図２に示した点線の信号経路（呼接続試験の信号経路）のシーケンス例が示してある。
【００２９】
まず、保守端末６は、保守ネットワーク５、ＩＰスイッチ４、およびバックホール回線ネットワーク３を介し、無線基地局２に対して呼接続試験の開始を指示する（ステップＳ１）。
【００３０】
無線基地局２は、保守端末６からの呼接続試験の開始指示を受けて、バックホール回線ネットワーク３、ＩＰスイッチ４、コアネットワーク７、およびパケットデータネットワーク８を介し、ＩＳＰサーバ９に対して発呼を行う（ステップＳ２）。
【００３１】
無線基地局２とＩＳＰサーバ９は、呼接続成功後、データ通信を行う（ステップＳ３）。
【００３２】
無線基地局２は、ＩＳＰサーバ９とのデータ通信が終了すると、ＩＳＰサーバ９に対し、呼切断要求を送信する（ステップＳ４）。
【００３３】
ＩＳＰサーバ９は、無線基地局２からの呼切断要求を受信すると、呼切断ＡＣＫを無線基地局２に送信する（ステップＳ５）。これにより、無線基地局２とＩＳＰサーバ９の呼接続は、切断される。
【００３４】
無線基地局２は、ＩＳＰサーバ９との呼接続を切断すると、ステップＳ２〜Ｓ５の呼接続に基づいて、呼接続試験の結果レポートを生成し、保守端末６に送信する（ステップＳ６）。
【００３５】
図４は、無線基地局２の機能ブロック構成例を示した図である。図４に示すように、無線基地局２は、アンテナＡ１〜Ａ４と、無線アナログ部（セクタ）１１〜１４と、デジタル信号処理部１５と、回線インタフェース部１６と、試験部１７と、呼接続処理部１８と、基地局制御部１９とを有している。
【００３６】
アンテナＡ１〜Ａ４は、無線端末１から送信されるアップリンクの無線信号を受信する。また、アンテナＡ１〜Ａ４は、ダウンリンクの無線信号を無線端末１に送信する。
【００３７】
無線アナログ部１１〜１４のそれぞれは、アンテナＡ１〜Ａ４のそれぞれと接続されている。例えば、無線アナログ部１１は、アンテナＡ１と接続され、無線アナログ部１２は、アンテナＡ２と接続され、無線アナログ部１３は、アンテナＡ３と接続され、無線アナログ部１４は、アンテナＡ４と接続されている。
【００３８】
無線アナログ部１１は、図４に示すように、濾波器１１ａと、ＲＦ（Radio Frequency）スイッチ１１ｂと、無線受信部１１ｃと、無線送信部１１ｄとを有している。
【００３９】
濾波器１１ａは、アンテナＡ１が送信および受信する信号のうち、不要な信号を遮断するフィルタである。
【００４０】
ＲＦスイッチ１１ｂは、信号の経路を切替えるスイッチである。例えば、ＲＦスイッチ１１ｂは、アップリンクのとき、濾波器１１ａと無線受信部１１ｃとを接続する。これにより、アンテナＡ１で受信されたアップリンクの信号は、無線受信部１１ｃに出力される。また、ＲＦスイッチ１１ｂは、ダウンリンクのとき、濾波器１１ａと無線送信部１１ｄとを接続する。これにより、無線送信部１１ｄから出力されたダウンリンクの信号は、アンテナＡ１に出力される。
【００４１】
無線受信部１１ｃは、無線端末１および端末機能部２ａから出力されるアップリンクの信号を、アンテナＡ１を介して受信する。無線受信部１１ｃは、アンテナＡ１を介して受信したアップリンクの信号を、アナログ信号からデジタル信号に変換する。無線受信部１１ｃは、デジタル信号に変換したアップリンクの信号を、デジタル信号処理部１５に出力する。
【００４２】
無線送信部１１ｄは、デジタル信号処理部１５から出力されるダウンリンクの信号をデジタル信号からアナログ信号に変換する。無線送信部１１ｄは、アナログ信号に変換したダウンリンクの信号を、アンテナＡ１を介して無線端末１および端末機能部２ａに送信する。
【００４３】
無線アナログ部１２〜１４のそれぞれは、無線アナログ部１１と同様の濾波器１２ａ〜１４ａと、ＲＦスイッチ１２ｂ〜１４ｂと、無線受信部１２ｃ〜１４ｃと、無線送信部１２ｄ〜１４ｄとを有し、その説明を省略する。
【００４４】
デジタル信号処理部１５は、アップリンクの信号の復調を行う。また、デジタル信号処理部１５は、ダウンリンクの信号の変調を行う。
【００４５】
回線インタフェース部１６は、回線インタフェース部１６、呼接続処理部１８、および基地局制御部１９と、バックホール回線ネットワーク３とを接続するインタフェースである。
【００４６】
試験部１７は、無線基地局２の呼接続試験を行う。試験部１７は、図４に示すように、試験制御部２１と、ＲＦスイッチ制御部２２と、端末機能部２ａとを有している。試験部１７の機能は、例えば、ＣＰＵ（Central Processor Unit）がメモリに記憶されたプログラムを実行することによってその機能が実現される。
【００４７】
試験制御部２１は、回線インタフェース部１６および基地局制御部１９を介して、保守端末６から呼接続試験の開始指示を受信する。試験制御部２１は、呼接続試験の開始指示を受信すると、ＲＦスイッチ制御部２２および端末機能部２ａに対し、呼接続試験の開始を指示する。
【００４８】
ＲＦスイッチ制御部２２は、試験制御部２１から呼接続試験の開始指示を受信すると、４つの無線アナログ部１１〜１４の少なくとも１つにおいて、ダウンリンクにおけるＲＦスイッチ１１ｂ〜１４ｂの接続を逆（アップリンクにおける接続）にする。
【００４９】
例えば、ＲＦスイッチ１１ｂ〜１４ｂは、ダウンリンクのとき、無線送信部１１ｄ〜１４ｄから出力されるダウンリンクの信号がアンテナＡ１〜Ａ４から無線送信されるように、濾波器１１ａ〜１４ａと、無線送信部１１ｄ〜１４ｄとを接続する。しかし、ＲＦスイッチ制御部２２は、呼接続試験の開始指示を受信すると、ダウンリンクであっても、例えば、ＲＦスイッチ１４ｂの接続を逆にする（濾波器１４ａと無線受信部１４ｃとが接続されるようにする）。
【００５０】
また、ＲＦスイッチ制御部２２は、試験制御部２１から呼接続試験の開始指示を受信すると、４つの無線アナログ部１１〜１４の少なくとも１つにおいて、アップリンクにおけるＲＦスイッチ１１ｂ〜１４ｂの接続を逆（ダウンリンクにおける接続）にする。
【００５１】
例えば、ＲＦスイッチ１１ｂ〜１４ｂは、アンプリンクのとき、アンテナＡ１〜Ａ４で受信されたアップリンクの信号が無線受信部１１ｃ〜１４ｃに出力されるように、濾波器１１ａ〜１４ａと、無線受信部１１ｃ〜１４ｃとを接続する。しかし、ＲＦスイッチ制御部２２は、呼接続試験の開始指示を受信すると、アップリンクであっても、例えば、ＲＦスイッチ１４ｂの接続を逆にする（濾波器１４ａと無線送信部１４ｄとが接続されるようにする）。
【００５２】
端末機能部２ａは、無線端末１と同様の通信機能を有し、無線端末１と同様の呼接続を行う。端末機能部２ａは、試験制御部２１から呼接続試験の開始指示を受信すると、ＩＳＰサーバ９に対して呼接続し、データ通信を行う。
【００５３】
なお、試験制御部２１は、ＩＳＰサーバ９との所定のデータ通信が終了すると、呼接続試験を終了する。そして、試験制御部２１は、呼接続試験の結果レポートを生成し、保守端末６に送信する。
【００５４】
呼接続処理部１８は、デジタル信号処理部１５を介して、無線アナログ部１１〜１４と接続され、呼接続処理を行う。
【００５５】
基地局制御部１９は、無線基地局２全体を制御する。例えば、基地局制御部１９は、無線端末１の信号と端末機能部２ａの信号とが干渉しないように、無線端末１が使用していないＴＤ方式での上り／下りリソースを端末機能部２ａに割り当てる。また、基地局制御部１９は、回線インタフェース部１６を介して、保守端末６から送信された呼接続試験の開始指示を受信し、試験制御部２１に出力する。また、基地局制御部１９は、試験制御部２１が生成した呼接続試験の結果レポートを、回線インタフェース部１６を介して、保守端末６に送信する。
【００５６】
図５は、ＴＤ方式の無線フレームの例を示した図である。図５に示す「Ｄ」は、ダウンリンクのサブフレームを示している。「Ｕ」は、アップリンクのサブフレームを示している。無線基地局２は、図５に示す「Ｄ」の区間においてダウンリンクの信号をアンテナＡ１〜Ａ４から送信し、「Ｕ」の区間において、アップリンクの信号をアンテナＡ１〜Ａ４にて受信する。
【００５７】
図６は、ＴＤ方式のダウンリンクにおける無線基地局２の動作を説明する図である。図６には、図４に示した無線基地局２の一部の機能ブロックが示してある。図６において、図４と同じものには同じ符号が付してある。
【００５８】
呼接続試験でないときのダウンリンク（通常のダウンリンク）では、複数のアンテナＡ１〜Ａ４は、全て送信状態になる。例えば、図６に示すように、ＲＦスイッチ１１ｂは、アンテナＡ１と無線送信部１１ｄとを接続する。ＲＦスイッチ１２ｂは、アンテナＡ２と無線送信部１２ｄとを接続する。ＲＦスイッチ１３ｂは、アンテナＡ３と無線送信部１３ｄとを接続する。ＲＦスイッチ１４ｂは、アンテナＡ４と無線送信部１４ｄとを接続する。
【００５９】
これにより、ダウンリンクの信号は、図６の一点鎖線矢印に示すように、アンテナＡ１〜Ａ４から無線端末１に送信される。
【００６０】
ここで、ＴＤ方式では、ダウンリンクのとき、複数のアンテナＡ１〜Ａ４は、上記したように、全て送信状態になる。そのため、無線基地局２の端末機能部２ａは、複数のアンテナＡ１〜Ａ４の何れかから送信される呼接続試験の信号を受信することができない。
【００６１】
そこで、無線基地局２は、次に説明するように呼接続試験時には、ダウンリンクのとき、アンテナＡ１〜Ａ４のうちの少なくとも１つのアンテナを受信状態にする。例えば、無線基地局２は、アンテナＡ１〜Ａ４のうち、アンテナＡ１〜Ａ３をダウンリンク用のために送信状態にし、アンテナＡ４を呼接続試験用のために受信状態にする。
【００６２】
図７は、呼接続試験のダウンリンクにおける無線基地局２の動作を説明する図である。図６には、図４に示した無線基地局２の一部の機能ブロックが示してある。図６において、図４と同じものには同じ符号が付してある。
【００６３】
試験部１７のＲＦスイッチ制御部２２は、呼接続試験のとき、複数の無線アナログ部１１〜１４の少なくとも１つにおいて、ダウンリンクにおけるＲＦスイッチ１１ｂ〜１４ｂの接続を逆にする。例えば、ＲＦスイッチ制御部２２は、図７に示すように、無線アナログ部１４のＲＦスイッチ１４ｂのダウンリンクにおける接続を逆にする。具体的には、ＲＦスイッチ制御部２２は、濾波器１４ａと無線受信部１４ｃとが接続されるようにする。
【００６４】
これにより、試験部１７の端末機能部２ａは、図７の点線矢印に示すように、アンテナＡ１〜Ａ３から送信される呼接続試験のダウンリンクにおける信号を、アンテナＡ４を介して受信できる。すなわち、無線基地局２は、無線区間を含むダウンリンクの呼接続試験を行うことができる。
【００６５】
また、無線端末１は、図７の一点鎖線に示すように、呼接続試験であっても、アンテナＡ１〜Ａ３から送信されるダウンリンクの信号を受信することができる。
【００６６】
なお、図７では、ＲＦスイッチ１４ｂの接続を逆にしたが、ＲＦスイッチ１１ｂ〜１３ｂのいずれかの接続を逆にしてもよい。また、２以上のＲＦスイッチ１１ｂ〜１４ｂの接続を逆にしてもよい。ただし、接続を逆にするＲＦスイッチ１１ｂ〜１４ｂの数を増加させると、無線端末１のデータ通信速度が低下する。
【００６７】
図８は、ＴＤ方式のアップリンクにおける無線基地局２の動作を説明する図である。図８には、図４に示した無線基地局２の一部の機能ブロックが示してある。図８において、図４と同じものには同じ符号が付してある。
【００６８】
呼接続試験でないときのアップリンク（通常のアップリンク）では、複数のアンテナＡ１〜Ａ４は、全て受信状態になる。例えば、図８に示すように、ＲＦスイッチ１１ｂは、アンテナＡ１と無線受信部１１ｃとを接続する。ＲＦスイッチ１２ｂは、アンテナＡ２と無線受信部１２ｃとを接続する。ＲＦスイッチ１３ｂは、アンテナＡ３と無線受信部１３ｃとを接続する。ＲＦスイッチ１４ｂは、アンテナＡ４と無線受信部１４ｃとを接続する。
【００６９】
これにより、無線端末１のアップリンクの信号は、図８の一点鎖線矢印に示すように、アンテナＡ１〜Ａ４によって無線基地局２に受信される。
【００７０】
ここで、ＴＤ方式では、アップリンクのとき、複数のアンテナＡ１〜Ａ４は、上記したように、全て受信状態になる。そのため、無線基地局２の端末機能部２ａは、複数のアンテナＡ１〜Ａ４の何れかから、呼接続試験の信号を送信することができない。
【００７１】
そこで、無線基地局２は、次に説明するように呼接続試験時には、アップリンクのとき、アンテナＡ１〜Ａ４のうちの少なくとも１つのアンテナを送信状態にする。例えば、無線基地局２は、アンテナＡ１〜Ａ４のうち、アンテナＡ１〜Ａ３をアップリンク用のために受信状態にし、アンテナＡ４を呼接続試験用のために送信状態にする。
【００７２】
図９は、呼接続試験のアップリンクにおける無線基地局２の動作を説明する図である。図９には、図４に示した無線基地局２の一部の機能ブロックが示してある。図９において、図４と同じものには同じ符号が付してある。
【００７３】
試験部１７のＲＦスイッチ制御部２２は、呼接続試験のとき、複数の無線アナログ部１１〜１４の少なくとも１つにおいて、アップリンクにおけるＲＦスイッチ１１ｂ〜１４ｂの接続を逆にする。例えば、ＲＦスイッチ制御部２２は、図９に示すように、無線アナログ部１４のＲＦスイッチ１４ｂのアップリンクにおける接続を逆にする。具体的には、ＲＦスイッチ制御部２２は、濾波器１４ａと無線送信部１４ｄとが接続されるようにする。
【００７４】
これにより、試験部１７の端末機能部２ａは、図９の点線矢印に示すように、アンテナＡ４から、呼接続試験の信号を送信することができる。そして、無線基地局２は、アンテナＡ１〜Ａ３から、アップリンクの呼接続試験の信号を受信することができる。すなわち、無線基地局２は、無線区間を含むアップリンクの呼接続試験を行うことができる。
【００７５】
また、無線基地局２は、図９の一点鎖線に示すように、呼接続試験であっても、アンテナＡ１〜Ａ３によって、無線端末１から送信される信号を受信することができる。
【００７６】
なお、図９では、ＲＦスイッチ１４ｂの接続を逆にしたが、ＲＦスイッチ１１ｂ〜１３ｂのいずれかの接続を逆にしてもよい。また、２以上のＲＦスイッチ１１ｂ〜１４ｂの接続を逆にしてもよい。ただし、接続を逆にするＲＦスイッチ１１ｂ〜１４ｂの数を増加させると、無線端末１のデータ通信速度が低下する。
【００７７】
図１０は、呼接続試験時のＲＦスイッチ制御部２２の動作例を示したフローチャートである。ＲＦスイッチ制御部２２は、試験制御部２１から呼接続試験の開始指示を受信すると、図１０に示すフローチャートの処理を実行する。
【００７８】
ＲＦスイッチ制御部２２は、サブフレームが切替えられるとき、次のサブフレームがダウンリンク（ＤＬ）サブフレームであるか、アップリンク（ＵＬ）サブフレームであるか判定する（ステップＳ１１）。
【００７９】
ＲＦスイッチ制御部２２は、ＤＬサブフレームであると判定した場合（Ｓ１１の「ＤＬ」）、少なくとも１つの無線アナログ部１１〜１４において、アンテナＡ１〜Ａ４と無線受信部１１ｃ〜１４ｃとが接続されるようにＲＦスイッチ１１ｂ〜１４ｂを切替える（ステップＳ１２）。
【００８０】
例えば、ＲＦスイッチ制御部２２は、図７に示したように、無線アナログ部１４において、アンテナＡ４と無線受信部１４ｃとが接続されるようにＲＦスイッチ１４ｂを切替える。これにより、端末機能部２ａは、呼接続試験時におけるダウンリンクでは、無線アナログ部１４を介して、ダウンリンクの呼接続の信号およびデータを受信することができる。
【００８１】
一方、ＲＦスイッチ制御部２２は、ステップＳ１１にて、ＵＬサブフレームであると判定した場合（Ｓ１１の「ＵＬ」）、少なくとも１つの無線アナログ部１１〜１４において、アンテナＡ１〜Ａ４と無線送信部１１ｄ〜１４ｄとが接続されるようにＲＦスイッチ１１ｂ〜１４ｂを切替える（ステップＳ１３）。
【００８２】
例えば、ＲＦスイッチ制御部２２は、図９に示したように、無線アナログ部１４において、アンテナＡ４と無線送信部１４ｄとが接続されるようにＲＦスイッチ１４ｂを切替える。これにより、端末機能部２ａは、呼接続試験時におけるアップリンクでは、無線アナログ部１４を介して、アップリンクの呼接続の信号およびデータを送信することができる。
【００８３】
以上説明したように、無線基地局２は、複数のアンテナＡ１〜Ａ４と、複数のアンテナＡ１〜Ａ４のそれぞれと接続された複数の無線アナログ部１１〜１４と、呼接続試験を行う試験部１７と、を有する。複数の無線アナログ部１１〜１４のそれぞれは、アンテナＡ１〜Ａ４を介して無線端末１に無線信号を送信する無線送信部１１ｄ〜１４ｄと、アンテナＡ１〜Ａ４を介して無線端末１から無線信号を受信する無線受信部１１ｃ〜１４ｃと、ダウンリンクのときアンテナＡ１〜Ａ４と無線送信部１１ｄ〜１４ｄとを接続し、アップリンクのときアンテナＡ１〜Ａ４と無線受信部１１ｃ〜１４ｃとを接続するＲＦスイッチ１１ｂ〜１４ｂと、を有する。そして、試験部１７は、呼接続試験のとき複数の無線アナログ部１１〜１４の少なくとも１つにおいて、ダウンリンクにおけるＲＦスイッチ１１ｂ〜１４ｂの接続を逆にし、アップリンクにおけるＲＦスイッチ１１ｂ〜１４ｂの接続を逆にする。これにより、無線基地局２は、無線区間を含む無線基地局２の呼接続試験を行うことができる。
【００８４】
また、試験部１７は、ネットワークを介して、保守端末６から呼接続試験の開始指示を受信する。これにより、ユーザは、無線基地局２の設置場所に出向かなくても、遠隔から呼接続試験を行うことができる。
【００８５】
なお、ＲＦスイッチ制御部２２は、呼接続試験のとき、無線アナログ部１１〜１４の１つずつにおいて、ダウンリンクにおけるＲＦスイッチ１１ｂ〜１４ｂの接続を逆にし、また、アップリンクにおけるＲＦスイッチ１１ｂ〜１４ｂの接続を逆にしてもよい。
【００８６】
例えば、ＲＦスイッチ制御部２２は、あるダウンリンクのとき、アンテナＡ４と無線受信部１４ｃとが接続されるようにＲＦスイッチ１４ｂの接続を制御し、次のダウンリンクのとき、アンテナＡ３と無線受信部１３ｃとが接続されるようにＲＦスイッチ１３ｂの接続を制御し、さらに次のダウンリンクのとき、アンテナＡ２と無線受信部１２ｃとが接続されるようにＲＦスイッチ１２ｂの接続を制御し、さらに次のダウンリンクのとき、アンテナＡ１と無線受信部１１ｃとが接続されるようにＲＦスイッチ１１ｂの接続を制御する。また、ＲＦスイッチ制御部２２は、あるアップリンクのとき、アンテナＡ４と無線送信部１４ｄとが接続されるようにＲＦスイッチ１４ｂの接続を制御し、次のアップリンクのとき、アンテナＡ３と無線送信部１３ｄとが接続されるようにＲＦスイッチ１３ｂの接続を制御し、さらに次のアップリンクのとき、アンテナＡ２と無線送信部１２ｄとが接続されるようにＲＦスイッチ１２ｂの接続を制御し、さらに次のアップリンクのとき、アンテナＡ１と無線送信部１１ｄとが接続されるようにＲＦスイッチ１１ｂの接続を制御する。
【００８７】
これにより、試験制御部２１は、例えば、どのアンテナＡ１〜Ａ４での無線区間を含む呼接続試験が良くなかったかの結果レポートを生成することができる。
【００８８】
また、接続を逆にするＲＦスイッチ１１ｂ〜１４ｂは、保守端末６から指定できるようにしてもよい。
【００８９】
以上、本発明について実施形態を用いて説明したが、無線基地局２の構成を理解容易にするために、主な処理内容に応じて分類したものである。構成要素の分類の仕方や名称によって、本願発明が制限されることはない。無線基地局２の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００９０】
また、上述したフローチャートおよびシーケンス図の各処理単位は、無線基地局２の処理を理解容易にするために、主な処理内容に応じて分割したものである。処理単位の分割の仕方や名称によって、本願発明が制限されることはない。無線基地局２の処理は、処理内容に応じて、さらに多くの処理単位に分割することもできる。また、１つの処理単位がさらに多くの処理を含むように分割することもできる。
【００９１】
また、本発明の技術的範囲は上記実施形態に記載の範囲には限定されない。上記実施形態に多様な変更または改良を加えることが可能であることが当業者には明らかである。また、そのような変更または改良を加えた形態も本発明の技術的範囲に含まれ得ることが、特許請求の範囲の記載から明らかである。さらに、各実施の形態を組み合わせることもできる。
【００９２】
また、図面等において示した各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲などに限定されない。
【符号の説明】
【００９３】
１…無線端末、２…無線基地局、２ａ…端末機能部、３…バックホール回線ネットワーク、４…ＩＰスイッチ、５…保守ネットワーク、６…保守端末、７…コアネットワーク、８…パケットデータネットワーク、９…ＩＳＰサーバ、Ａ１〜Ａ４…アンテナ、１１〜１４…無線アナログ部、１１ａ〜１４ａ…濾波器、１１ｂ〜１４ｂ…ＲＦスイッチ、１１ｃ〜１４ｃ…無線受信部、１１ｄ〜１４ｄ…無線送信部、１５…デジタル信号処理部、１６…回線インタフェース部、１７…試験部、１８…呼接続処理部、１９…基地局制御部、２１…試験制御部、２２…ＲＦスイッチ制御部。
【図１】
2017212599.tif 000003
【図２】
2017212599.tif 000004
【図３】
2017212599.tif 000005
【図４】
2017212599.tif 000006
【図５】
2017212599.tif 000007
【図６】
2017212599.tif 000008
【図７】
2017212599.tif 000009
【図８】
2017212599.tif 000010
【図９】
2017212599.tif 000011
【図１０】
2017212599.tif 000012